(57)【要約】      （修正有）【課題】パッティングの視覚上のガイドとなる表示を直感的に視認できるパッティング練習用マットを提供する。【解決手段】帯状のマット１の表面に、マットの長手方向に沿ってゴルフボールと同等の大きさの直径を有する複数の円形マーク１０を連接して表示すると共に、円形マークの連接方向と直交する角度の直線状の短手側ガイドライン２を、隣接する各円形マークの接線方向に沿ってそれぞれ表示する。【選択図】図１
0003159089.tif 000002
【実用新案登録請求の範囲】
【請求項１】
帯状のマットの表面にパッティングの視覚上のガイドとなる表示を施したパッティング練習用マットにおいて、マットの長手方向に沿ってゴルフボールと同等の大きさの直径を有する複数の円形マークを連接して表示すると共に、円形マークの連接方向と直交する角度の直線状の短手側ガイドラインを、隣接する各円形マークの接線方向に沿ってそれぞれ表示したことを特徴とするパッティング練習用マット。
【請求項２】
短手側ガイドラインは隣接する円形マークの間の両側対向位置に一本づつ施される請求項１記載のパッティング練習用マット。
【請求項３】
短手側ガイドラインは隣接する円形マークの間を貫いて施される請求項１記載のパッティング練習用マット。
【請求項４】
マットの短手側両側付近に、マットの長手方向に沿った一対の長手側ガイドラインを表示した請求項１又は２記載のパッティング練習用マット。
【請求項５】
各円形マークに次の各直線により構成される表示を施した請求項１から４のいずれかに記載のパッティング練習用マット。
マットの長手方向に沿った直径位置に施した第１直線。
上記の第１直線と直交し、第１直線の中央の両側の対向位置に施した一対の第２直線。
上記の第１直線と平行し、上記の各第２直線を挟んだ対向位置に施した一対の第３直線。
【考案の詳細な説明】
【技術分野】
【０００１】
この考案は、ゴルフのパッティングの練習に使用するためのマットに関する。
【背景技術】
【０００２】
帯状のマットの表面にパッティングの視覚上のガイドとなる表示を施したパッティング練習用マットが公知である。
【０００３】
この種の練習用マットとしては、
(1) 打球の方向をガイドする目標線を表示したもの（特許文献１）、
(2) 目標線に加えてそれと直交する直線を表示することによりヘッドのフェイスのガイドとしたもの（特許文献２）、
(3) マットの長手方向に沿ってゴルフボールの直径の幅に設定されたスリットを形成し、スリットの始点部分に収まるようにボールを置いた位置において、ボールの直径に合わせた幅のストライブをマットの長手方向に対して直角方向に表示したもの（特許文献３）、  〜などが提案されている。
【特許文献１】特開２００２−１５３５７８号公報
【特許文献２】実開昭５７−２０７５号公報
【特許文献３】特開２００９−１７９１４号公報
【考案の開示】
【考案が解決しようとする課題】
【０００４】
しかしながら、前記の従来技術のマットは何れも幾何学的な図形の表示からなるものであり、使用者が直感的にガイド作用を得るには難があった。
【課題を解決するための手段】
【０００５】
この考案は以上の従来技術の問題点を解消したパッティング練習用マットを提供することを目的として創作されたものであり、帯状のマットの表面にパッティングの視覚上のガイドとなる表示を施したパッティング練習用マットにおいて、マットの長手方向に沿ってゴルフボールと同等の大きさの直径を有する複数の円形マークを連接して表示すると共に、円形マークの連接方向と直交する角度の直線状の短手側ガイドラインを、隣接する各円形マークの接線方向に沿ってそれぞれ表示したことを特徴とする。
【０００６】
また、請求項４に記載のパッティング練習用マットは前記の考案において、マットの短手側両側付近に、マットの長手方向に沿った一対の長手側ガイドラインを表示したことを特徴とする。
【０００７】
また、請求項５に記載のパッティング練習用マットは前記の考案において、各円形マークに次の各直線により構成される表示を施したことを特徴とする。
マットの長手方向に沿った直径位置に施した第１直線。
上記の第１直線と直交し、第１直線の中央の両側の対向位置に施した一対の第２直線。
上記の第１直線と平行し、上記の各第２直線を挟んだ対向位置に施した一対の第３直線。
【考案の効果】
【０００８】
この考案のパッティング練習用マットによれば、ゴルフボールと同等の大きさの直径を有する複数の円形マークをマットの長手方向に沿って連接して表示しているので、これが打ち出し方向のゲージとして機能し、距離に応じたテイクバックの大きさがボールの個数分で表現されることとなり、直感的にその感覚を掴めるとと共に、実戦においても練習時の感覚を容易に思い出すことができる。
【０００９】
また、ゴルフボールと同等の大きさの直径を有する円形マークの連接方向と直交する角度の直線状の短手側ガイドラインを、隣接する各円形マークの接線方向に沿って配しているので、ヘッドのフェイスをこのガイドラインと対比することにより、ヘッドがスクエアにセットできているかを容易にチェックすることができる。
【００１０】
また、ゴルフボールと同等の大きさの直径を有する複数の円形マークをマットの長手方向に沿って連接して表示することにより、それを打球の方向をガイドする目標とし、正しいボールの転がりと方向を容易にチェックすることができる。
【００１１】
さらに、請求項４記載の考案においては、マットの短手側両側付近にマットの長手方向に沿った一対の長手側ガイドラインを表示しているので、前記の複数の円形マークが相まって、それを打球の方向をガイドする目標として機能すると共に、ヘッドが平行に振り出されているかを容易にチェックすることができる。
【００１２】
さらに、請求項５記載の考案においては、各円形マークにマットの長手方向に沿った直径位置に施した第１直線、上記の第１直線と直交し、第１直線の中央の両側の対向位置に施した一対の第２直線、上記の第１直線と平行し、上記の各第２直線を挟んだ対向位置に施した一対の第３直線を表示しているので、第１直線と第３直線が前記の長手側ガイドラインを補助する作用を、第２直線が同じく短手側ガイドラインを補助する作用を果たし、より確実なガイド作用が実現される。
【図面の簡単な説明】
【００１３】
【図１】この考案のパッティング練習用マットの平面図。
【図２】同上、使用方法を示す平面図。
【図３】同上、使用方法を示す平面図。
【図４】同上、使用方法を示す平面図。
【考案を実施するための形態】
【００１４】
以下、この考案の具体的実施例を添付図面に基づいて説明する。図１はこの考案のパッティング練習用マットの平面図である。このマットは合成樹脂やゴムなどの可撓性に富む素材により帯状の形状に構成される。そして、マットの長手方向中央に沿ってゴルフボールＢと同等の大きさの直径を有する複数の円形マーク１０を連接して表示する。
【００１５】
一方、前記の円形マーク１０の連接方向と直交する角度の直線状の短手側ガイドライン２を、隣接する各円形マークの接線方向に沿ってそれぞれ表示する。図においては短手側ガイドライン２は隣接する円形マーク１０の間の両側対向位置に一本づつ施されるが、一本のものを隣接する円形マークの間を貫いて施してもよい。
【００１６】
さらに、この実施例においては、マット１の短手側両側付近にマットの長手方向に沿った一対の長手側ガイドライン３、３を表示している。
【００１７】
さらに、この実施例においては、各円形マーク１０に次の各直線により構成される表示を施している。
マット１の長手方向に沿った直径位置に施した第１直線１１。
上記の第１直線１０と直交し、第１直線の中央の両側の対向位置に施した一対の第２直線１２、１２。
上記の第１直線１０と平行し、上記の各第２直線１２、１２を挟んだ対向位置に施した一対の第３直線１３、１３。
【００１８】
なお、図に示すように円形マーク１０に施した前記の表示と同じものをボールＢに表示すると、より効果的なガイド作用を得ることができる。
【００１９】
図２〜図４はこの考案のパッティング練習用マットの使用方法を示す図である。図２ではヘッドＨのフェイスを短手側ガイドライン２と対比することにより、ヘッドがスクエアにセットできているかをチェックする様子を示している。また、図３では距離に応じたテイクバックの大きさが円形マーク１０何個分か、すなわちボール何個分かを視覚的にチェックする様子を示している。また、図４では連接された円形マーク１０や長手側ガイドライン３、３を打球の方向をガイドする目標とし、正しいボールの転がりと方向をチェックする様子を示している。
【符号の説明】
【００２０】
１      マット
２      短手側ガイドライン
３      長手側ガイドライン
１０    円形マーク
【図１】
0003159089.tif 000003
【図２】
0003159089.tif 000004
【図３】
0003159089.tif 000005
【図４】
0003159089.tif 000006